(57)【要約】【課題】  把持すべき略直方体を極簡単な構造で、あるいは簡単に包み、あるいはきっちり結束し、そのまま安全に持ち運びができる網の形状を有する略直方体用袋を提供する。【解決手段】  把持すべき略直方体２の底面の交叉する２対角線に対する縮小比率０．０３〜０．７３倍の大きさでＸ字型Ｘ１に形設され底面の重心部分を支持する所定の長さの第１節部６と、該略直方体２の四側面４を把持する所定の長さの第３節部８と、前記両節部の間に介在し略直方体２を安定して抱持する所定の長さの第２節部７と、第１節部６とほぼ対称的な形態で略直方体２の上面５を上方から確実に把持する所定の長さの第５節部１０と、第３節部８と第５節部１０の間に介在し第２節部７とほぼ対称的に形設され、該略直方体２の四側面４における第３節部８の位置を確立させて抱持する所定の長さの第４節部９と、を備えることを特徴とする網の形状を有する略直方体用袋１。【選択図】図１
2019085174.tif 000002
【特許請求の範囲】
【請求項１】
把持すべき略直方体の底面の交叉する２対角線に対する縮小比率０．０３〜０．７３倍の大きさでＸ字型に形設され、該略直方体の底面の重心部分を支持する所定の長さの第１節部と、該略直方体の四側面を把持するために延設された所定の長さの第３節部と、前記両節部の間に介在し該略直方体を安定して抱持するために延設された所定の長さの第２節部と、前記第１節部とほぼ対称的な形態で該略直方体の上面を上方から確実に把持するために延設された所定の長さの第５節部と、第３節部と第５節部の間に介在し前記第２節部とほぼ対称的に形設され、該略直方体の四側面における第３節部の位置を確立させて抱持するために延設された所定の長さの第４節部と、を備えることを特徴とする網の形状を有する略直方体用袋。
【請求項２】
本特許の請求項１に記載の網の形状を有する略直方体用袋は、予め準備した所定の長さの紐４本の中央をまとめて結んだ後、把持すべき略直方体の底面の交叉する２対角線に対する縮小比率０．０３〜０．７３倍の大きさで結びＸ字型に成る第１節部（４本）と、第１節部の隣り合う組の紐を２本ずつまとめて結び計４組で成る所定の長さの第２節部（８本）と、第２節部の各々組において紐を２本ずつまとめて結び計４組で成る所定の長さの第３節部（４本）と、第３節部の隣り合う組の紐を２本ずつまとめて結び計４組で成る所定の長さの第４節部（８本）と、第４節部の隣り合う２組ずつの紐をまとめて結び計２組で成る所定の長さの第５節部（４本）と、を備えることを特徴とする請求項１に記載の網の形状を有する略直方体用袋。
【請求項３】
本特許の請求項１に記載の網の形状を有する略直方体用袋は、予め算出・準備した袋の全長の２．３〜２．６倍の長さの紐４本の中央をまとめて結んだ後、出来た中央の結び目（瘤）を始点として、把持すべき略直方体の底面の対角線１本の長さの二分の一に把持すべき略直方体の底面の交叉する２対角線に対する縮小比率０．０３〜０．７３倍を乗じて得た長さで止め結びして、計４組で成るＸ字型の第１節部（４本）と、第１節部の隣り合う組の紐を２本ずつまとめて、略直方体の底面の対角線１本の長さの二分の一から前記第１節部の長さを差し引いて得た値に、略直方体の底面と側面の接合部である角（二面接合部）から側面への食い込み分の長さを勘案して定めた値を加算した長さで止め結びして、計４組で成る第２節部（８本）と、第２節部の各々組において、把持すべき略直方体の高さに準じて設定した率を乗じて得た長さで止め結びして、計４組で成る第３節部（４本）と、第３節部の隣り合う組の紐を２本ずつまとめて、把持すべき略直方体の縦・横の合計長さを２．１倍した値を８で除して得た長さで止め結びして、計４組で成る第４節部（８本）と、第４節部の隣り合う２組ずつの紐をまとめて、把持すべき略直方体の底面の対角線１本の長さの二分の一から、第４節部が略直方体の側面と上面の接合部である角（二面接合部）から上面への食い込み分の長さを勘案して定めた値を差し引いて得た長さで止め結びして、計２組で成る第５節部（４本）と、を備えることを特徴とする請求項１又は請求項２に記載の網の形状を有する略直方体用袋。
【請求項４】
本特許の請求項１に記載の第５節部に更に連ねて、所定の長さでカットされた状態で形設された第６節部（２本）を備えることを特徴とする請求項１から請求項３のいずれか一項に記載の網の形状を有する略直方体用袋。
【発明の詳細な説明】
【技術分野】
【０００１】  本発明は、極めて簡単な構造で、把持すべき略直方体をあるいは簡単に包み、あるいはきっちり包み・結束し、そのまま安全に持ち運びができる網の形状を有する略直方体用袋に関するものである。
【背景技術】
【０００２】  従来、重量が１〜１１ｋｇ程度、且つ上面、底面、及び四側面がそれぞれＢ５判〜Ｂ３判程度の大きさの略直方体を、そのまま人が持ち運びするには、該略直方体を紐やバンドで直接結束したり、固有の段ボール箱に入れたり、相応の紙袋やポリ袋などに入れたり、相応の布やビニルシートで包んだり、或いはそのまま抱かえたりして、持ち運びするのが一般的である。時には袋の底が破れたり、結束バンドで指をケガしたり、箱の中身が傾き・移動・変形したり、足元が見えなくて不安全な行動になったりすることもあり、特に重量が２ｋｇを超える略直方体を持ち運びすることは大変なことである。また網の形状を有する袋を使用して前記の大きさの略直方体を持ち運びしている例は見られない。また網の形状を有する略直方体用袋の具体的な提案は見られない。
なお、本発明（本特許）に係る略直方体とは、重量が１〜１１ｋｇ程度、且つ上面、底面、及び四側面がそれぞれＢ５判〜Ｂ３判程度の大きさのほぼ正方形またはほぼ長方形の形状を有する物。木・竹・紙・合成樹脂類などで作られた前記同様の大きさのほぼ直方体の形状を有する箱（単体）。ほぼ直方体同様の形状を有する同類の箱や物を複数個積み重ねて成るほぼ直方体様の物。及び二つまたは四つに折り畳まれた新聞紙・広告紙類やＢ５〜Ａ４サイズ相当の書籍・雑誌類を１２〜３０ｃｍ程度の高さに積み重ねて成るほぼ直方体様の物。などを総じて「略直方体」と称することとする。【０００３】  特許文献１に記載されている包装用網袋は、隣接する２本の平行なフィラメントの組をＸ状に互いに交差させてなる網地からなり、玉葱やみかんなどの丸みを帯びた物品を包装するものである。【０００４】  非特許文献１に記載されているハンドメイド作品・簡単ボールネットの作り方は、▲１▼ボールの円周×２．５倍の紐を４本用意する。▲２▼紐４本を揃え中央を縛る。▲３▼隣り合う紐を縛る。この時中央から７ｃｍぐらいのところを縛る。▲４▼２周目、隣り合う紐同士を約９ｃｍで縛る。▲５▼同じように３周目は１１ｃｍ、４周目は１２ｃｍで縛る。持ち手になるところは４本一緒に縛り糸端をそろえて切って完成である。【０００５】  非特許文献２に記載されている新聞・雑誌のズレない縛り方は、
▲１▼平らなところで「Ｌ（リットル）」の形に紐を置き、その輪の部分に雑誌を通す。▲２▼紐の両端をそれぞれ外側に引っ張って、紐が雑誌の横一文字にかかるようにする。最初に作った「Ｌ（リットル）」状の紐と紐の重なる部分が雑誌の真下にくるようにする。▲３▼「▲２▼」で外側に引っ張った紐を、反時計回りに９０度動かし、左手で持つ紐を自分側に、右手で持つ紐を自分の反対側に垂れるようにする。▲４▼雑誌に横真一文字にかかった紐に、自分側の紐、反対側の紐それぞれ１回絡め、その後普通の蝶結びにする。▲５▼もし、束ねる雑誌が増えても、蝶結びを外すだけで、もう一度縛り直すことなく、重ねた雑誌が崩れることなく、追加することができる。【０００６】  非特許文献３に掲載されているスイカ網は、中大玉用規格：ピンク／白、約７０ｃｍ、小玉用規格：グリーン／白、約５０ｃｍである。その他規格の詳細が此処には掲載されていないので、某青果物店でスイカを購入したときに貰う非特許文献３に掲載されているものによく似たスイカ網（実物）５個を観察した結果、次のようなスイカ網であった。中大玉用規格：グリーン／白、全長約７５ｃｍ。その態様は、後記表６に示すように、所定の長さのポリプロピレン（ＰＰ）製のグリーン紐２本と白紐２本の計４本を中央で縛り、次に隣り合うグリーン紐１本と白紐１本を中央から約９ｃｍのところを縛る。続いて同様に約１１ｃｍのところを縛る。続いて同様に約１４ｃｍのところを縛る。続いて同様に約１５ｃｍのところを縛る。最後に持ち手となる部分は隣り合うグリーンと白の紐２本ずつを約１９ｃｍのところで一緒に縛り、紐端を約７ｃｍ残した物であった。【０００７】  これらの非特許文献１及び非特許文献３に見られるように、ボールやスイカのような球体用の網の袋の編み方及び球体用の網の袋の例は見られるが、本発明で称する略直方体用の網の形状を有する袋の事例や具体的提案は見られないのが現状である。
【先行技術文献】
【特許文献】
【０００８】
【特許文献１】意匠登録第１１９６６９９号（Ｄ１１９６６９９）
【非特許文献】
【０００９】
【非特許文献１】ＵＲＬ：ｈｔｔｐｓ：／／ａｔｅｌｉｅｒ．ｗｏｍａｎ．ｅｘｃｉｔｅ．ｃｏ．ｊｐ／ｃｒｅａｔｉｏｎ／２６０９１．ｈｔｍｌ  簡単ボールネットの作り方
【非特許文献２】ＵＲＬ：ｈｔｔｐ：／／ｍｙｋａｊｉ．ｋａｏ．ｃｏｍ／６９９４／新聞・雑誌のコンパクトな縛り方
【非特許文献３】ＵＲＬ：ｈｔｔｐ：／／ｗｗｗ．ｎｏｕ．ｃｏ．ｊｐ／ａｐ／ｆ．ｈｔｍｌ？ｍｄ＝ｆ０４＆ｉｄ＝０９０２ＤＢ５０１２＆ｓｐｃ＝ＮＮＳスイカ網
【発明の概要】
【発明が解決しようとする課題】
【００１０】  段落番号０００２に示すように、重量が１〜１１ｋｇ程度、且つ上面、底面、及び四側面がそれぞれＢ５判〜Ｂ３判程度の大きさのほぼ正方形またはほぼ長方形の形状を有する物（商品が収納された段ボール箱など）、及び二つまたは四つに折り畳まれた新聞紙・広告紙類やＢ５〜Ａ４サイズ相当の書籍・雑誌類を１２〜３０ｃｍ程度の高さに積み重ねて成るほぼ直方体様の物（本発明では、これらを「略直方体」という）、これらの略直方体をそのまま人が持ち運びする際、従来の方法によれば、略直方体を紐やバンドで直接結束したり、或いは相応の紙袋やポリ袋などに入れたり、或いは相応の布やビニルシートで包んだり、或いはそのまま抱き抱えたりして持ち運びするのが一般的である。時には袋の底が破れたり、結束バンドで指をケガしたり、箱の中身が傾き・移動・変形したりすることもあり、特に重量が２ｋｇを超える略直方体を持ち運びすることは大変なことである。若し、網の形状を有する略直方体用の袋を用いて簡単に包んだり、きっちり結束したりすることができ、更に、そのまま安全に持ち運びができれば非常に便利である。高齢化社会に突入した現在この便利さはとりわけ有用である。例えば、青果物店などで桃・梨などを１箱（３〜５ｋｇ程度）買ったときは、固有の段ボール箱の左右の側板に設けられた長孔或いは該段ボール箱の下蓋の両端を両手で持ち上げ、移動するのが現状である。従って、大きな段ボール箱で足下が隠され且つ両手が塞がれたた不安全な行動となり、特に高齢者には非常に危険な状態である。若し、網の形状を有する略直方体用袋があれば、簡単に包み、きっちり結束し、そのまま安定した安全な態様で持ち運びが可能である。
また、網の形状を有する略直方体用袋を廉価に提供することができれば、包装・販売作業の合理化、商品や店舗のイメージアップ、商品の安全移動、お客様の満足度向上などが期待できる。
また、非特許文献２に見られるように、現状では、新聞紙・雑誌などを緩みなくきっちり結束するには何らかの工夫、テクニックが必要である。ともすれば、高齢者には新聞紙・広告紙・書籍・雑誌類の結束が上手くいかず資源回収への動作が億劫になりがちである。若し、網の形状を有する略直方体用の袋で、簡単に包み、きっちり結束でき、しかも該袋が簡単な構造で廉価であれば、資源回収への動作も快適になるものと思われる。更に、紐の材質が環境にやさしい植物性の繊維から成る紙などであることの要求が高まっている。【００１１】  本発明が解決しょうとする課題は、段落番号０００２に示した大きさの直方体様の物や箱、及び新聞紙・広告紙・書籍・雑誌類などを積み重ねて成る所謂略直方体を包み、結束し、持ち運びするときに於ける（段落番号０００２及び段落番号００１０に示す）従来の課題・問題点を解決し、極めて簡単な構造で、廉価に生産でき、前記略直方体をあるいは簡単に包み、あるいはきっちり包装・結束し、そのまま安全に持ち運びができる網の形状を有する略直方体用袋を提供することを目標とした。
【課題を解決するための手段】
【００１２】  本発明者らは、段落番号０００２及び段落番号００１０に示した従来の課題・問題点を解決すべく鋭意努力した結果、本特許の請求項１から請求項４に記載の網の形状を有する略直方体用袋を提供する。先ず、請求項１に係る発明は、把持すべき略直方体の底面の交叉する２対角線に対する縮小比率０．０３〜０．７３倍の大きさでＸ字型に形設され、該略直方体の底面の重心部分を支持する所定の長さの第１節部と、該略直方体の四側面を把持するために延設された所定の長さの第３節部と、前記両節部の間に介在し該略直方体を安定して抱持するために延設された所定の長さの第２節部と、前記第１節部とほぼ対称的な形態で該略直方体の上面を上方から確実に把持するために延設された所定の長さの第５節部と、第３節部と第５節部の間に介在し前記第２節部とほぼ対称的に形設され、該略直方体の四側面における第３節部の位置を確立させて抱持するために延設された所定の長さの第４節部と、を備えることを特徴とする。
なお、本発明（本特許）に係る縮小比率とは、単に、Ｘ字型に形設された第１節部（４本）の大きさ（長さ）が、把持すべき略直方体の底面の交叉する（Ｘ字型を呈する）２対角線の大きさ（長さ）に対して何倍の縮小に当るかをいうのみである。【００１３】  請求項１に記載の第１節部は、予め準備した所定の長さの紐４本の中央をまとめて結んだ後、把持すべき略直方体の底面の交叉する２対角線に対する縮小比率０．０３〜０．７３倍、好ましくは０．２２〜０．４５倍、より好ましくは０．２８〜０．３９倍の大きさでＸ字型に形設され、該略直方体の底面の重心部分をしっかりと支持する機能を持つことを特徴とする。従って、このＸ字型が形設されることにより、該略直方体が大きく揺れ傾くことなく安定した状態で持ち運びができる。なお、前記のＸ字型の縮小比率の大きさは、後記実施例１の網の形状を有する略直方体用袋の製作可能な技術範囲とその適合性の評価結果より得られた数値である。【００１４】  請求項１に記載の第２節部は、所定の長さで、第１節部に連設して４組・８本に形成され、該略直方体の四側面をそれぞれ２本ずつで抱持し、該略直方体の安定を支持することを特徴とする。形成された８本の第２節部は、前記のＸ字型の第１節部と相まって、あたかも８本の指を備えた大きな手のひらに該略直方体がすっぽりと把持されているような態様で、安定感がある。【００１５】  請求項１に記載の第３節部は、所定の長さで、第２節部に連設して４組・４本に形成され、把持すべき略直方体の四側面を、各側面の中央部で垂直にしっかり把持することを特徴とする。そして、該略直方体が大きく前後左右に揺れ動くのを緩和することができる。【００１６】  請求項１に記載の第４節部は、所定の長さで、第３節部と第５節部の間に４組・８本で形成され、略直方体を抱持した際には第２節部とほぼ対称的になるように形設され、該略直方体の四側面における第３節部の位置を確立させることを特徴とする。前記第２節部と全く同様な態様であり、後記の第５節部と相まって、該略直方体をしっかりと安定して把持することができる。【００１７】  請求項１に記載の第５節部は、所定の長さで、第４節部に連設して２組・４本で形成され、結束された際には第１節部とほぼ対称的な形態となり、略直方体の上面を上方から確実に把持することを特徴とする。段落番号００１４に記載の態様と統合すれば、あたかも８本の指を備えた大きな上・下の手のひらの中に該略直方体がしっかりと安定して把持されている態様である。【００１８】  請求項２に係る発明は、本特許の請求項１に記載の網の形状を有する略直方体用袋のより具体的な構成であって、予め準備した所定の長さの紐４本の中央をまとめて結んだ後、把持すべき略直方体の底面の交叉する２対角線に対する縮小比率０．０３〜０．７３倍の大きさで結びＸ字型に成る第１節部（４本）と、第１節部の隣り合う組の紐を２本ずつまとめて結び計４組で成る所定の長さの第２節部（８本）と、第２節部の各々組において紐を２本ずつまとめて結び計４組で成る所定の長さの第３節部（４本）と、第３節部の隣り合う組の紐を２本ずつまとめて結び計４組で成る所定の長さの第４節部（８本）と、第４節部の隣り合う２組ずつの紐をまとめて結び計２組で成る所定の長さの第５節部（４本）と、を備えることを特徴とする。【００１９】  請求項３に係る発明は、本特許の請求項１に記載の網の形状を有する略直方体用袋の更に具体的な構成であって、予め算出・準備した袋の全長の２．３〜２．６倍、好ましくは全長の２．４５倍（更に詳しくは、ＰＰ紐のときは好ましくは２．２８〜２．４３倍、より好ましくは２．３６倍、紙紐のときは好ましくは２．４３〜２．５４倍、より好ましくは２．４９倍）の長さの紐４本の中央をまとめて結んだ後、出来た中央の結び目（瘤）を始点として、把持すべき略直方体の底面の対角線１本の長さの二分の一に把持すべき略直方体の底面の交叉する２対角線に対する縮小比率０．０３〜０．７３倍を乗じて得た長さで止め結びして、計４組で成るＸ字型の第１節部（４本）と、第１節部の隣り合う組の紐を２本ずつまとめて、略直方体の底面の対角線１本の長さの二分の一から前記第１節部の長さを差し引いて得た値に、略直方体の底面と側面の接合部である角（二面接合部）から側面への食い込み分の長さを勘案して定めた値（好ましくは４ｃｍ）を加算した長さで止め結びして、計４組で成る第２節部（８本）と、第２節部の各々組において、把持すべき略直方体の高さに準じて設定した率（所定の製作目安乗率：高さに準じて０．２〜０．７に設定）を乗じて得た長さで止め結びして、計４組で成る第３節部（４本）と、第３節部の隣り合う組の紐を２本ずつまとめて、把持すべき略直方体の縦・横の合計長さを２．１倍（書籍・雑誌類や新聞紙類用袋の場合は、２．０倍でもよい）した値を８で除して得た長さで止め結びして、計４組で成る第４節部（８本）と、第４節部の隣り合う２組ずつの紐をまとめて、把持すべき略直方体の底面の対角線１本の長さの二分の一から、第４節部が略直方体の側面と上面の接合部である角（二面接合部）から上面への食い込み分の長さを勘案して定めた値（好ましくは５ｃｍ）を差し引いて得た長さで止め結びして、計２組で成る第５節部（４本）と、を備えることを特徴とする。【００２０】  請求項４に係る発明は、本特許の請求項１に記載の第５節部に更に連ねて、所定の長さでカットされた状態で形成され、結束する際に把持部となり得る第６節部を備えることを特徴とする。
該第６節部は計２組・２本で成り、所定の長さは第５節部の結び目が解けることがなく、且つ結束する際に把持部となり得る程度の長さ、好ましくは６ｃｍである。また、該第６節部の存在により、意匠的にも商品価値を高めることができる。【００２１】  以上に記載するように、本発明の網の形状を有する略直方体用袋は、予め準備した所定の長さの紐から成り、出来上がった構成物としては極めて簡単な構造である。また、主な材料は紐だけであり廉価に生産することが可能である。更に、新聞紙・広告紙・書籍・雑誌類を包装・結束する場合でも箱の場合と同様に、所定の網の形状を有する略直方体用袋に只入れるだけ、或いは入れて結束するだけの容易な作業方法であり、誰でもあるいは簡単に包み、あるいはきっちり包装・きっちり結束し、そのまま安全に持ち運びができる。
【発明の効果】
【００２２】  以上説明したように、請求項１、請求項２及び請求項３に係る発明によれば、第１節部のＸ字型は把持すべき略直方体の底面の重心部分をしっかりと支持し、第３節部は略直方体の四側面の中央部でそれぞれ垂直に略直方体をしっかりと把持し、第２節部と第４節部は上下ほぼ対称的に第３節部が移動しないようにその位置を確立させ、第５節部は第１節部のＸ字型とほぼ対称的な形態で略直方体の上面を上方から把持する形態で構成されているので、把持すべき略直方体を確実に安定して把持することができるので、そのまま安全に持ち運びができる。【００２３】  また、本発明の網の形状を有する略直方体用袋は、紐を独自の方法・構成で組んだものであり、出来上がった構成物としては極めて簡単な構造である。従って、詳細な手順や複雑な作業を必要としないので、把持すべき略直方体を誰でも、あるいは簡単にすっぽり包み、あるいはきっちり包装・きっちり結束し、そのまま安全に持ち運びができる。【００２４】  また、新聞紙・広告紙・書籍・雑誌・段ボール箱などを簡単にすっぽり包み、きっちり結束し、そのまま安全に持ち運びができるだけでなく、一般家庭・書店・図書館等において書籍や雑誌類の整理・保管にも有用である。本発明の網の形状を有する略直方体用袋を使用すれば、どのような書籍・雑誌がどの袋のどの位置に在るのか（保管されているのか）一目瞭然であり、しかも結束を緩めるだけで必要な書籍・雑誌を簡単に抜き出すことができる。そして、再び容易に結束することができる。従来の段ボール箱詰され保管された書籍・雑誌を複数の該箱から探し出す苦労に比べると格段に優る。【００２５】  また、主な材料は紐だけであり、且つ複雑な製作工程が無いので、本発明の網の形状を有する略直方体用袋を容易に製作できるので、廉価な本発明の網の形状を有する略直方体用袋を提供することが可能である。【００２６】  また、紐の結び方を「止め結び」にしたので、瘤（紐の結び目）が小さく、見た目が美しくて良い。【００２７】  請求項４に係る発明によれば、第６節部を備えることで、把持すべき略直方体を包む作業が容易になり、且つ該第６節部を介して結ぶだけの作業で容易にきっちり結束することができる。また、第５節部の結び目が解ける心配はなく、更に、第６節部の存在により、意匠的にも商品価値を高めることができる。
【図面の簡単な説明】
【００２８】
【図１】本発明の網の形状を有する略直方体用袋の見取図。
【図２】本発明に係る略直方体の参考底面図。
【図３】本発明の網の形状を有する略直方体用袋の使用状態を示す参考底面図。
【図４】本発明の網の形状を有する略直方体用袋の使用状態を示す参考正面図及び参考背面図。
【図５】本発明の網の形状を有する略直方体用袋の使用状態を示す参考左側面図及び参考右側面図。
【図６】本発明の網の形状を有する略直方体用袋の使用状態を示す参考平面図。
【図７】本発明の網の形状を有する略直方体用袋の使用状態を示す参考斜視図１。
【図８】本発明の網の形状を有する略直方体用袋の使用状態を示す参考斜視図２。
【図９】本発明の網の形状を有する略直方体用袋の別の使用状態を示す参考正面図。
【図１０】本発明の網の形状を有する略直方体用袋の構成を説明するための略式的構成図。
【図１１】従来の球体用網の袋の構成を説明するための略式的構成図。
【発明を実施するための形態】
【００２９】  以下、本発明の一実施形態について添付図面に従って説明する。なお、段落番号０００２に示すように、本発明（本特許）に係る略直方体とは、重量が１〜１１ｋｇ程度、且つ上面、底面、及び四側面がそれぞれＢ５判〜Ｂ３判程度の大きさのほぼ正方形またはほぼ長方形の形状を有する物。木・竹・紙・合成樹脂類などで作られた前記同様の大きさのほぼ直方体の形状を有する箱（単体）。ほぼ直方体同様の形状を有する同類の箱や物を複数個積み重ねて成るほぼ直方体様の物。及び二つまたは四つに折り畳まれた新聞紙・広告紙類やＢ５〜Ａ４サイズ相当の書籍・雑誌類を１２〜３０ｃｍ程度の高さに積み重ねて成るほぼ直方体様の物。などを総じて「略直方体」と称することとする。
【００３０】  （１）一実施形態
図１は、本発明の網の形状を有する略直方体用袋１の見取図である。図１に示すように網の形状を有する略直方体用袋１の底部には予め準備した所定の長さの紐４本の中央をまとめて止め結びで結んだ後、計４組で成る所定の長さの第１節部６（４本）が形成され、Ｘ字型Ｘ１を呈している。連ねて第１節部６の隣り合う組の紐を２本ずつまとめて止め結びで結び、計４組で成る所定の長さの第２節部７（８本）が形成されている。連ねて第２節部７の各々組において紐を２本ずつまとめて止め結びで結び、計４組で成る所定の長さの第３節部８（４本）が形成されている。連ねて第３節部８の隣り合う組の紐を２本ずつまとめて止め結びで結び、計４組で成る所定の長さの第４節部９（８本）が形成されている。連ねて第４節部９の隣り合う２組ずつの紐をまとめて止め結びで結び、計２組で成る所定の長さの第５節部１０（４本）が形成されている。連ねて所定の長さで紐をカットされた状態で、計２組で成る第６節部１１（２本）が形成されている。
なお、本見取図は、把持すべき略直方体２を網の形状を有する略直方体用袋１に入れて包んだ後に、取り出したときの態様であり、網の形状を有する略直方体用袋１は、ふっくらと膨らんだ状態であるが、本実施形態で使用している網の形状を有する略直方体用袋１の紐の材質は柔軟なポリプロピレンである。従って、未使用時の態様は萎んだ傘のような状態である。
【００３１】  本実施形態では、網の形状を有する略直方体用袋１の材質は、ポリプロピレン（ＰＰ）製の紐を用いている。網目の袋の材質としては、ポリプロピレン、ポリ塩化ビニルなどの合成樹脂の紐、植物性繊維から成る紙紐や麻の紐などが一般的である。特異的な材質としては、薄い皮革の紐、或いはプラスチック製の細かい鎖状の物なども考えられる。
しかし、焼却ごみが減れば二酸化炭素も減り、地球温暖化対策になるといった環境への理解が進んでいる現在、新聞紙や雑誌などの古紙回収に用いられる紐類や本発明の網の形状を有する略直方体用袋の材質は、植物性繊維から成る紙紐などであることが望ましい。この紐の材質の環境への配慮は大切である。後記実施例１において、ＰＰ紐に代えて紙紐で本発明の網の形状を有する略直方体用袋１を製作して、新聞紙約１０ｋｇを包み、結束し、そのまま持ち運びをしたところ破損することも無く、何ら問題点は無かった。従って、本発明の網の形状を有する略直方体用袋１の材質は、ポリプロピレンなどの合成樹脂製の紐のみに関わらず、植物繊維から成る紙紐も十分に有用であることが判明した。
【００３２】  図２は、本発明に係る略直方体２の参考底面図である。図３は、本発明の網の形状を有する略直方体用袋１の使用状態を示す参考底面図である。図４は、本発明の網の形状を有する略直方体用袋１の使用状態を示す参考正面図及び参考背面図である。図５は、本発明の網の形状を有する略直方体用袋１の使用状態を示す参考左側面図及び参考右側面図である。図６は、本発明の網の形状を有する略直方体用袋１の使用状態を示す参考平面図である。
本発明の網の形状を有する略直方体用袋１は、所定の長さの紐４本の中央をまとめて止め結びで結んだ後、（図２に示すように）把持すべき略直方体２の底面の交叉する２対角線Ｘ０を基本として、（図３に示すように）把持すべき略直方体２の底面の交叉する２対角線に対する所定の縮小比率（Ｘ１／Ｘ０をいう）の大きさでＸ字型Ｘ１に形設され、該略直方体２の底面の重心部分を支持する所定の長さの第１節部６（４本）と、（図４及び図５に示すように）該略直方体２の四側面（正面・背面・左側面・右側面をいう）を把持するために延設された所定の長さの第３節部８（４本）と、前記両節部（第１節部６と第３節部８）の間に介在し該略直方体２を安定して抱持するために延設された所定の長さの第２節部７（８本）と、（図６に示すように）前記第１節部６とほぼ対称的な形態で該略直方体２の上面５を上方から確実に把持するために延設された所定の長さの第５節部１０（４本）と、第３節部８と第５節部１０の間に介在し前記第２節部７とほぼ対称的に形設され、該略直方体２の四側面における第３節部８の位置を確立させて抱持するために延設された所定の長さの第４節部９（８本）と、更に、前記第５節部１０に連ねて、所定の長さでカットされた状態で形設された第６節部１１（２本）と、を備えている。
なお、本実施形態では、網の形状を有する略直方体用袋１の底部を呈するＸ字型Ｘ１（第１節部６の４本）を赤色に着色している。このように着色することにより、網の形状を有する略直方体用袋１に把持すべき略直方体２を入れる際に該袋１の底面部を識別し易く、スムーズに包む作業を進めることができる。
【００３３】  図７は、本発明の網の形状を有する略直方体用袋１の使用状態を示す参考斜視図１である。把持すべき略直方体２（段ボール箱）を包み、結束した状態を示している。しっかりと段ボール箱を把持しており、意匠的にもシンプルで美しい態様を呈している。
【００３４】  図８は、本発明の網の形状を有する略直方体用袋１の使用状態を示す参考斜視図２である。把持すべき略直方体２（新聞紙を積み重ねたもの）を包み、結束した状態を示している。只、新聞紙を積み重ねて入れ、最後に結んだだけなのにしっかり結束されている。
【００３５】  図９は、本発明の網の形状を有する略直方体用袋１の別の使用状態を示す参考正面図であり、把持すべき略直方体２（本実施形態では商品が収納された段ボール箱をいう）を包んだ状態である。網の形状を有する略直方体用袋１が該略直方体２をしっかり包み込んでいるので、結束しなくても、このままの状態で第５節部１０を提手として、安全に持ち運びが可能である。また、意匠的にもシンプルでユニークである。
【００３６】  図１０は、本発明の網の形状を有する略直方体用袋１の構成を説明するための略式的構成図である。尚、図中の「−」は紐１本を、「＝」は紐２本を、「−」が４本は紐４本を、「○」は紐の結び目（瘤）を、それぞれ表す。
図１０に示すように、本発明の網の形状を有する略直方体用袋１の構成は、予め準備した所定の長さの紐４本の中央をまとめて結んだ後、把持すべき略直方体２の底面の交叉する２対角線Ｘ０に対する縮小比率（Ｘ１／Ｘ０をいう）０．０３〜０．７３倍の大きさで結びＸ字型Ｘ１に成る第１節部６（４本）と、第１節部６の隣り合う組の紐を２本ずつまとめて結び計４組で成る所定の長さの第２節部７（８本）と、第２節部７の各々組において紐を２本ずつまとめて結び計４組で成る所定の長さの第３節部８（４本）と、第３節部８の隣り合う組の紐を２本ずつまとめて結び計４組で成る所定の長さの第４節部９（８本）と、第４節部９の隣り合う２組ずつの紐をまとめて結び計２組で成る所定の長さの第５節部１０（４本）と、更に連ねて、所定の長さでカットされた状態で、計２組で成る第６節部１１（２本）が形成されていることを特徴とする。
【００３７】  図１１は、従来の球体用網の袋の構成を説明するための略式的構成図である。尚、図中の「−」は紐１本を、「＝」は紐２本を、「−」が４本は紐４本を、「○」は紐の結び目（瘤）を、それぞれ表す。
非特許文献１に記載されている簡単ボールネットの作り方及び非特許文献３に記載されているスイカ網と同様のスイカ網の実物を観察した結果、得られた従来の球体用網の袋２０の構成（本実施形態では、球体用に使用されている簡単ボールネットやスイカ網の構成を総称して、従来の球体用網の袋２０の構成という）は、図１１に示す通りであった。
従来の球体用網の袋２０の構成は、▲１▼第１段目は、所定の長さの紐を４本用意し、この紐４本を揃え中央を縛った後、隣り合う紐を所定の長さで縛る。▲２▼第２段目も、同様に隣り合う紐を所定の長さで縛る。▲３▼第３段目も、同様に隣り合う紐を所定の長さで縛る。▲４▼第４段目も、同様に隣り合う紐を所定の長さで縛る。▲５▼第５段目（持ち手になるところ）は、４本一緒に縛る。▲６▼第６段目は、紐端を揃えて切って完成であることを特徴とする。
また、従来の球体用網の袋２０の構成は、例えば、８ｃｍ→１１ｃｍ→１４ｃｍ→１５ｃｍ→２１ｃｍとか、１０ｃｍ→１１ｃｍ→１３ｃｍ→１４ｃｍ→１９ｃｍのように、第１段目、第２段目、・・・・と、第５段目に進むに従って、漸次各段目の紐の長さが無造作に大きくなっていることも特徴である。
【００３８】  図１０と図１１に示すように、本発明の網の形状を有する略直方体用袋１（図１０に示す）は、従来の球体用網の袋２０（図１１に示す）と比較して、袋の構成及び機能に次の相違点がみられた。
（１）図１０の第３節部８は、第２節部７の各々組において紐を２本ずつまとめて結んでいるのに対し、図１１の第３段目１６は、第１段目、第２段目と全く同一に第２段目の隣り合う組の紐を２本ずつまとめて結んでいる。
（２）図１０の第１節部６には、把持すべき略直方体の底面の交叉する２対角線に対する所定の縮小比率大に形設されたＸ字型Ｘ１が存在する。
（３）また、後記実施例３の表６に示す某青果物店のスイカ網の略直方体への適合性の評価結果に見られるように、某青果物店のスイカ網は、本発明で定義する大きさの略直方体２を包み、しっかり結束するができないことが判明した。
【００３９】  本発明の網の形状を有する略直方体用袋１の一実施形態は、以上の構成よりなる。ここで、本発明の網の形状を有する略直方体用袋１の使用方法について説明する。
本発明の網の形状を有する略直方体用袋１を使用する際は、該袋１の左右の第６節部１１をそれぞれ持ち上げ、第６節部１１と第５節部１０の間の結び目（瘤）附近に中指・薬指・小指を挿入して、左右の手で該袋１の開口部を広く開けた状態で該袋１を支持しながら、左右いずれか一方の手を離して、その手で把持すべき略直方体２の底面３の中央付近に該袋１の（着色された、或いはシールが貼られた）Ｘ字型Ｘ１の中心部が収まるように、把持すべき略直方体２を挿入した後、再び第６節部１１を持ち上げて、把持すべき略直方体２がすっぽりと該袋１に包まれるようにする。図９に示すように、結束せずに、このままの状態でも第５節部１０を提手として、持ち運びができる。また、結束する場合は、左右の第６節部１１を把持してただ縛るだけであり、誰でも簡単にきっちり結束できる。
【００４０】  （２）他の実施形態
本発明は、前記一実施形態に示される態様に限定されるものではなく、例えば、以下の態様も包含する。
【００４１】  前記一実施形態の段落番号００３０に示すように、「図１は、本発明の網の形状を有する略直方体用袋１の見取図である。図１に示すように網の形状を有する略直方体用袋１の底部には予め準備した所定の長さの紐４本の中央をまとめて止め結びで結んだ後、・・・・」となっているが、この紐４本の中央をまとめて結ぶ際の「紐の結び方」は、「止め結び」に限定されるものでなく、「本結び」などであってもよい。
【００４２】  また、各節部を形成する際に、「止め結び」や「本結び」のように結ぶのではなく、紐の強度が保持できれば熱で圧着・融着したり、接着剤で接着したり、留め具で固着・鋲着する方法も有用である。
【００４３】  本発明の一実施形態では、網の形状を有する略直方体用袋１の材質は、ポリプロピレン（ＰＰ）製の紐を用いている。網目の袋の材質としては、ポリプロピレン、ポリエチレン及びポリ塩化ビニルなどの合成樹脂の紐、植物性繊維から成る紙や麻の紐などが一般的である。特異的な材質としては、薄い皮革の紐、或いはプラスチック製の薄い帯状・鎖状の物なども考えられる。
なお、本発明の実施例１において、ポリプロピレン（ＰＰ）紐に代えて紙紐で実際に本発明の網の形状を有する略直方体用袋１を製作してその適合性を試したところ、新聞紙約１０ｋｇ包装でも破損することも無く、何ら問題点も無かった。環境への配慮からも紙紐は有用な材質である。
【００４４】  本発明の網の形状を有する略直方体用袋１の第６節部１１については、ともすれば人により見解の相違が発生するところである。例えば、網の形状を有する略直方体用袋１の第５節部１０の長さを、（第５節部内で十分に結束が出来るように）予定より大きく製作して結んだ後、紐が解けない程度に（第５節部１０の結び目から）紐端約０．５〜１ｃｍ残してカットした場合、この紐端約０．５〜１ｃｍを第６節部１１とするのか否か、見解の相違が発生しそうで難しいところである。そこで、本発明では、この場合の紐端約０．５〜１ｃｍは第６節部１１で無いものと仮定して、本発明を進めることにした。
【実施例１】
【００４５】  先ず、本発明に係る略直方体２において、新聞紙及び新聞の中に折り込まれる広告紙の１か月当たりの量（頁数、重量、積み上げ高さ）がどれ程になるのか、その調査を試みた結果、得られた１か月当たりの各新聞紙及び折り込み広告紙の量（頁数、重量、積み上げ高さ）は、下記の表１に示す通りであった。
なお、折り込み広告紙は総てＡ４紙大の大きさに換算した頁数で記載することにした。【００４６】
【表１】
2019085174.tif 000003
【００４７】  表１の結果より、一般家庭において１か月当たりの新聞紙と折り込み広告紙の量は、
（１）普通の家庭では、新聞紙１，３００頁と折り込み広告紙（Ａ４紙大に換算して）１，２００頁、総重量約８ｋｇ、総積み上げ高さ約２２ｃｍである。
（２）多い家庭では、新聞紙１，６００頁と折り込み広告紙（Ａ４紙大に換算して）１，２００頁、総重量約１０ｋｇ、総積み上げ高さ約２７ｃｍである。
と仮定して、本発明の網の形状を有する略直方体用袋１の開発を進めることにした。【００４８】  次に、表１の結果を参考として、本発明の網の形状を有する略直方体用袋１の製作可能な技術範囲とその適合性の評価を試みるために、下記の表２に示すような種類の把持すべき略直方体２を準備した。
準備した略直方体２の種類は、表２の番号欄Ｂ１〜Ａ３に示す１０種であり、その略直方体２の大きさの概要（横×縦×高さの寸法、量的な目安、重量の目安）は、下記の表２に示す通りであった。また、準備した略直方体２を更にその大きさで分類すると、小さい方から▲１▼Ｂ５紙大（Ｂ１〜Ｂ３）、▲２▼新聞紙類（Ｃ１〜Ｃ４）、▲３▼Ａ４紙大（Ａ１〜Ａ３）の３種類であった。【００４９】
【表２】
2019085174.tif 000004
【００５０】  そして、本特許の請求項２及び請求項４に記載する内容と同様の構成で、本発明の網の形状を有する略直方体用袋１の製作を試みた。このとき製作した袋の規格は、（表３の列の要素欄に示す）製作した袋の番号欄Ｎｏ．１〜１７に記載した。そして、（表３の行の要素欄に示す）予め準備した略直方体２（番号Ｂ１〜Ａ３）の１０種について、袋の適合性を評価した結果、得られた本発明の網の形状を有する略直方体用袋１の製作可能な技術範囲とその適合性の評価は表３に示す通りであった。【００５１】  また、このとき製作した網の形状を有する略直方体用袋１の製作方法は、次の通りであった。予め準備した２００ｃｍの長さのポリプロピレン製の紐（ＰＰ紐）４本の中央をまとめて、止め結びで結んだ後、把持すべき略直方体２の底面（ここでいう把持すべき略直方体２の底面とは、四つに折り畳まれて成る横２２ｃｍ×縦２８ｃｍの新聞紙面を指す）の交叉する２対角線Ｘ０に対する縮小比率（Ｘ１／Ｘ０をいう）０．０３〜０．９０倍の大きさで止め結びしてＸ字型Ｘ１に成る第１節部６（４本）を形成する工程と、第１節部６の隣り合う組の紐を２本ずつまとめて止め結びで結び計４組で成る所定の長さの第２節部７（８本）を形成する工程と、第２節部７の各々組において紐を２本ずつまとめて止め結びで結び計４組で成る所定の長さの第３節部８（４本）を形成する工程と、第３節部８の隣り合う組の紐を２本ずつまとめて止め結びで結び計４組で成る所定の長さの第４節部９（８本）を形成する工程と、第４節部９の隣り合う２組ずつの紐をまとめて止め結びで結び計２組で成る所定の長さの第５節部１０（４本）を形成する工程と、更に連ねて、所定の長さで紐をカットされた状態で、計２組で成る第６節部１１（２本）を形成する工程と、を備えることを特徴とした。【００５２】  また、網の形状を有する略直方体用袋１の製作可能な技術範囲とその適合性の評価の実施方法は、下記の通りであった。
（１）先ず、本実施例１において、本発明に係る把持すべき略直方体２として、四つに折り畳まれた新聞紙・広告紙の１か月分を積み重ねて成る物（詳しくは、表２の番号欄Ｃ３に示す大きさ２２×２８×２７ｃｍの新聞紙約１，６００頁分と広告紙約１，２００頁分、及び番号欄Ｃ２に示す大きさ２２×２８×２４ｃｍの新聞紙約１，４００頁分と広告紙約１，２００頁分であり、これらの把持すべき略直方体２の底面の交叉する２対角線Ｘ０の対角線１本の長さは３５．６ｃｍである）を基本前提とした。
（２）また、表３に示す番号Ｎｏ．１〜１７の網の形状を有する略直方体用袋１を製作するに当たり、次の６つの条件を仮定した。
▲１▼網の形状を有する略直方体用袋１の全長は、７０ｃｍとする。
▲２▼第３節部８の長さは、原則として、１５ｃｍと定める。
但し、表３に示すように、Ｎｏ．１２〜１７においては該袋１の全長が７０ｃｍに定められているため、第３節部８の長さを特例的に減数しなければならなかった。
▲３▼第４節部９の長さは、１５ｃｍと定める。
▲４▼第５節部１０の長さは、１３ｃｍと定める。
▲５▼第６節部１１の長さは、６ｃｍと定める。
▲６▼第１節部６の長さを小から大に変化させ、それに準じて、原則として第２節部７の長さを減数させた。但し、表３に示すように、Ｎｏ．１３〜１７においては第２節部７の長さは第１節部６の長さ以下となり、総てが「×」となって不適合となったため、第２節部７の長さを特例的に増加しなければならなかった。
（３）以上の条件下で、網の形状を有する略直方体用袋１を製作し、予め準備した略直方体２（番号Ｂ１〜Ａ３）の１０種の各々について、下記の評価基準に基づきその適合性を評価した。
また、番号Ｂ１〜Ａ３の１０種類と、多くの略直方体２を準備した理由は、新聞紙・広告紙類の所謂略直方体用として製作した網の形状を有する略直方体用袋１が、やや大きさが前後するＢ５紙大の雑誌類（Ｂ１〜Ｂ３）、Ａ４紙大の雑誌類（Ａ１〜Ａ３）を受け入れるキャパシティーがどの程度あるのかを試みるためでもあった。
また、網の形状を有する略直方体用袋１に把持すべき略直方体２を入れる際に、該袋１の底面部を識別し易いように、該袋１の底面部を呈するＸ字型Ｘ１（第１節部６の４本）を赤色に着色した。この該袋１の底面部のＸ字型Ｘ１を赤色に着色したことにより、該袋１の底面部を識別し易く、包む作業が非常にスムーズになり有用であった。【００５３】  なお、網の形状を有する略直方体用袋１の製作可能な技術範囲とその適合性の評価基準は、第１節部６〜第６節部１１の各節部が、本特許の請求項１に記載するような機能を満たした態様になっているかどうか、全体的バランスはどうか、商品としての価値はどうか、を主眼として評価基準を設定した。その適合性の評価基準は下記の通りであった。
「製作された網の形状を有する略直方体用袋１の適合性の評価基準」
◎：製作された網の形状を有する略直方体用袋１は、
（イ）Ｘ字型Ｘ１に形設された第１節部６が、略直方体２の底面３の重心部分をし        っかり支持していること。
（ロ）第２節部７が、第１節部６と第３節部８の間にバランス良く介在し第３節部        ８の位置を各側面４の中央に確立させ略直方体２を安定して抱持していること。
（ハ）第３節部８が、略直方体２の各側面４の中央部で安定して垂設された状態で        あること。
（二）第４節部９が、第２節部７と同様な態様で第３節部８の位置を各側面４の中        央に確立させ略直方体２をしっかり抱持していること。
（ホ）第５節部１０が、第１節部６とほぼ対称的な形態で略直方体２の上面５を上        方から確実に把持していること。
（ヘ）結束する際に、第６節部１１を介して、第５節部１０内で（結束したとき、        結び目が第５節部１０内に位置することをいう）容易に結束できること。
（ト）紐の配置及び紐の張りの全体的バランスに問題が無いこと。
以上（イ）〜（ト）の７項目総てに申し分なく期待した水準以上であった。
○：製作された網の形状を有する略直方体用袋１は、
前記（イ）〜（ト）の７項目に概して問題は無かった。しかし、Ｘ字型Ｘ１が大        き過ぎて略直方体２を包み込む作業がやり難くなり、商品としての価値が期待し        た水準をやや下回った。
△：製作された網の形状を有する略直方体用袋１は、
第６節部１１を介して結束できるが、
（チ）第１節部６、第３節部８、第５節部１０の何れか又は複数に弛みがある。
（リ）第３節部８の長さに過不足感がある。
（ヌ）紐の配置、紐の張りの何れかに又は重複して全体的バランスが良くないなど        の問題があり、商品としての価値は殆ど無かった。
×：製作された網の形状を有する略直方体用袋１は、
第６節部１１を介して結束できず、商品としての価値は全く無かった。【００５４】  表３に示すように、本発明の網の形状を有する略直方体用袋１の第１節部６のＸ字型Ｘ１の大きさ（長さ）は、把持すべき略直方体２の底面の交叉する２対角線Ｘ０に対する縮小比率（Ｘ１／Ｘ０をいう）０．０３〜０．７３倍、好ましくは０．２２〜０．４５倍、より好ましくは０．２８〜０．３９倍である。【００５５】  なお、縮小比率０．０３倍以下については、第１節部６の長さが０．５ｃｍ以下となり、小さ過ぎて正確な寸法の本発明の網の形状を有する略直方体用袋１の製作が難しいので、縮小比率０．０３以下については、本発明の目的とする技術範囲ではないものとされる。【００５６】  また、縮小比率０．７３倍を超える範囲については、表３の製作した袋の番号Ｎｏ．１６に示すように網の形状を有する略直方体用袋１は一部で適合性評価が「○」となる。即ち第１節部６のＸ字型Ｘ１が大きくなって、把持すべき略直方体２の底面の交叉する２対角線Ｘ０の大きさに近づき過ぎたために、把持すべき略直方体２を包み込む作業がやり難くなり、商品としての価値が期待した水準をやや下回ることになるので、縮小比率０．７３倍を超える範囲については、本発明の目的とする技術範囲ではないものとされる。【００５７】
【表３】
2019085174.tif 000005
【００５８】  また、表３の製作した袋の番号Ｎｏ．１１及び１２の評価結果に示すように、第２節部７の長さが第１節部６の長さ以下のとき（同じ長さのときも含む）には、総ての適合性の評価が「×」となり、どの略直方体２にも不適合であった。従って、本発明の網の形状を有する略直方体用袋１を製作するときの必要な条件の１つとして、第２節部７の長さは、第１節部６の長さより１ｃｍ以上長いことが必須の条件である。【００５９】  また、本実施例１において、下記の表４に示すような、予め第３節部８の長さを算定する目安となる製作目安乗率、並びに第２節部７の長さ、第４節部９の長さ、及び第５節部１０の長さを予め容易に算定するための独自の製作基準（製作方法とも云える）を見出すことができた。その独自の製作基準（製作方法）の詳細は下記の通りであった。【００６０】  本実施例１で見出した本発明の網の形状を有する略直方体用袋１の独自の製作基準（製作方法）は、本特許の請求項３及び請求項４に記載するように、予め算出・準備した袋の全長の２．３〜２．６倍、好ましくは全長の２．４５倍（更に詳しくは、ＰＰ紐のときは好ましくは２．２８〜２．４３倍、より好ましくは２．３６倍、紙紐のときは好ましくは２．４３〜２．５４倍、より好ましくは２．４９倍）の長さの紐４本の中央をまとめて止め結びで結んだ後、出来た中央の結び目（瘤）を始点として、把持すべき略直方体２の底面の対角線１本の長さの二分の一に把持すべき略直方体２の底面の交叉する２対角線Ｘ０に対する縮小比率０．０３〜０．７３倍を乗じて得た長さで止め結びして、計４組で成るＸ字型Ｘ１の第１節部６（４本）を形成する工程と、第１節部６の隣り合う組の紐を２本ずつまとめて、略直方体２の底面３の対角線１本の長さの二分の一から前記第１節部６の長さを差し引いて得た値に、略直方体２の底面３と側面４の接合部である所謂第２節部に係る角１２（二面接合部）から側面４への食い込み分の長さ（第２節部に係る角１２から第２節部７と第３節部８との間に介在する結び目迄の長さをいう）を勘案して定めた値（好ましくは、４ｃｍ）を加算した長さで止め結びして、計４組で成る第２節部７（８本）を形成する工程と、第２節部７の各々組において、把持すべき略直方体２の高さに準じて設定した率（表４に示す所定の製作目安乗率：高さに準じて０．２〜０．７に設定）を乗じて得た長さで止め結びして、計４組で成る第３節部８（４本）を形成する工程と、第３節部８の隣り合う組の紐を２本ずつまとめて、把持すべき略直方体２の縦・横の合計長さを２．１倍（書籍・雑誌類や新聞紙類用袋の場合は、２．０倍でもよい）した値を８で除して得た長さで止め結びして、計４組で成る第４節部９（８本）を形成する工程と、第４節部９の隣り合う２組ずつの紐をまとめて、把持すべき略直方体２の底面３の対角線１本の長さの二分の一から、第４節部９が略直方体２の側面４と上面５の接合部である所謂第４節部に係る角１３（二面接合部）から上面５への食い込み分の長さ（第４節部に係る角１３から第４節部９と第５節部１０との間に介在する結び目迄の長さをいう）を勘案して定めた値（好ましくは、５ｃｍ）を差し引いて得た長さで止め結びして、計２組で成る第５節部���０（４本）を形成する工程と、更に連ねて、第５節部１０の結び目が解けることがなく、且つ把持すべき略直方体２を結束するときに把持部となることができる程度の長さ（好ましくは、６ｃｍ）で紐をカットして、計２組で成る第６節部１１（２本）を形成する工程と、を備えることを特徴とする。【００６１】  続いて、各節部ごとに詳しく述べる。
本発明に係る予め準備すべき紐の１本の長さは、下記の方法（段落番号００６２〜００６９に記載の方法）で個々に算出した第１節部６、第２節部７、第３節部８、第４節部９、第５節部１０、及び第６節部１１の長さを合算した値を２．３〜２．６倍、好ましくは２．４５倍（更に詳しくは、ＰＰ紐のときは好ましくは２．２８〜２．４３倍、より好ましくは２．３６倍、紙紐のときは好ましくは２．４３〜２．５４倍、より好ましくは２．４９倍）して得た値とする。【００６２】  本発明に係る第１節部６の１本の長さは、把持すべき略直方体２の底面の対角線１本の長さの二分の一に縮小比率０．０３〜０．７３倍、好ましくは０．２２〜０．４５倍、より好ましくは０．２８〜０．３９倍の間で所望する縮小比率を乗じて得た値とする。なお、この縮小比率の値の選択は、把持すべき略直方体２の底面３の大きさに鑑みて、バランスと美観をも考慮して行うことが望ましい。【００６３】  本発明に係る第２節部７の１本の長さは、原則として、把持すべき略直方体２の底面の対角線１本の長さの二分の一のから第１節部６の長さを差し引いた値に、該略直方体２の底面３と側面４の接合部である所謂第２節部に係る角１２から側面４への食い込み分の長さ（第２節部に係る角１２から第２節部７と第３節部８との間に介在する結び目迄の長さをいう）を勘案して定めた値（本発明では４ｃｍに設定）を加算した値とする。【００６４】  ただし、前記の段落番号００６３に示す方法で算出された第２節部７の１本の長さが、段落番号００６２に示す方法で算出された第１節部６の１本の長さ以下のときは、特例として、段落番号００５８で示す本発明の網の形状を有する略直方体用袋１を製作するときの必須の条件の１つである「第２節部７の長さは、第１節部６の長さより１ｃｍ以上長いこと。」が適用され、前記の段落番号００６２に示す方法で算出された第１節部６の１本の長さに、１ｃｍ以上の長さを加算した値を、第２節部７の１本の長さとする。【００６５】  本発明に係る第３節部８の１本の長さは、把持すべき略直方体２の四側面を、それぞれの側面４の中央で垂直に把持するために四側面の高さ寸法を勘案した寸法で形成される。従って、この第３節部８の１本の長さは、把持すべき略直方体２の高さの実寸法に製作目安乗率を乗じて得た値とする。なお、この製作目安乗率は、下記の表４に示すように、把持すべき略直方体２の高さが、１２〜１５ｃｍのときは０．２、１６〜２１ｃｍのときは０．４、２２〜２５ｃｍのときは０．５、２６〜３０ｃｍのときは０．６、３１ｃｍのときは０．７である。その他の高さのときは、側近値で試作した後、全体的バランスを確認の上、ケースバイケースで微調整を行うものとする。【００６６】
【表４】
2019085174.tif 000006
【００６７】  本発明に係る第４節部９の１本の長さは、把持すべき略直方体２の縦・横の合計長さを２．１倍（書籍・雑誌類や新聞紙類用袋の場合は、２．０倍でもよい）した値を８で除して得た値とする。【００６８】  本発明に係る第５節部１０の１本の長さは、把持すべき略直方体２の底面（本来は上面５であるが、ここでは底面３と上面５が全く同じ大きさであるため底面とする）の対角線１本の長さの二分の一から、第４節部９が略直方体２の側面４と上面５の接合部である所謂第４節部に係る角１３（二面接合部）から上面５への食い込み分の長さ（第４節部に係る角１３から第４節部９と第５節部１０との間に介在する結び目迄の長さをいう）を勘案して定めた値（本発明では５ｃｍに設定）を差し引いて得た値とする。
なお、前記各節部の１本の長さを算出する際、長さの単位はｃｍとし、それぞれ算出し得られた数値の小数点以下は、原則として四捨五入するものとする。【００６９】  本発明に係る第６節部１１の１本の長さは、６ｃｍに設定する。
第６節部１１の１本の長さは、第５節部１０の結び目が解けないこと及び第６節部１１を把持部として結束することが可能な長さであることが必要である。また、意匠的にも美観をも考慮した長さが好ましい。【００７０】  以上の段落番号００６０〜００６９に記載の方法で試作された網の形状を有する略直方体用袋１で把持すべき略直方体２を包み、結束して、その適合性を確認した後、必要性に応じて微調整をして完成させるものとする。
【実施例２】
【００７１】  （段落番号００６０〜００７０に示す）実施例１で見出した網の形状を有する略直方体用袋１の独自の製作基準（製作方法）が、果たして、本発明で定義する大きさの略直方体２に適用できるのか否かを確認するために本実施例２を試みた。そして、予め準備した各種の略直方体２に対して製作した本発明の網の形状を有する略直方体用袋１の寸法と適合性の評価結果は、下記の表５に示す通りであった。【００７２】  本実施例２の実施方法は、下記の通りであった。
（１）先ず、本実施例２のために、予め準備した把持すべき略直方体２は、下記の表５の行の要素欄（予め準備した把持すべき略直方体）の▲１▼〜▲１０▼に示す果物・菓子・飲料・人形など入りの各段ボール箱であった。
（２）前記▲１▼〜▲１０▼に示す略直方体（各段ボール箱）に対して製作した本発明の網の形状を有する略直方体用袋１の寸法は、表５の列の要素欄（製作した袋の番号）の２１〜３０に記載の通りであった。
（３）網の形状を有する略直方体用袋１の製作に使用した材質は、ポリプロピレン製の紐であった。
（４）製作した網の形状を有する略直方体用袋（番号２１〜３０）が、予め準備した把持すべき略直方体（▲１▼〜▲１０▼）に対して有する適合性の評価は、実施例１の段落番号００５３に示す評価基準と同一の基準で、それぞれの略直方体２について評価した。その評価結果は、表５にマトリックスで示す通りであった。【００７３】  本実施例２における網の形状を有する略直方体用袋（番号２１〜３０）の製作方法は、実施例１の段落番号００６０〜００７０に記載の独自の製作基準（製作方法）であった。
なお、実施例１では網の形状を有する略直方体用袋１に把持すべき略直方体２を入れる際に、該袋１の底面部を識別し易く、スムーズにその作業が進むように、該袋１の底面部を呈するＸ字型Ｘ１（第１節部６の４本）を赤色に着色したが、本実施例２においては、把持すべき略直方体２を入れる際に、該袋の底面部を識別し易いように、網の形状を有する略直方体用袋１の底面中心部（Ｘ字型Ｘ１の中心部付近）に５０×７５ｍｍのラベルを貼った。前記の着色方法と同様に該ラベルを付す方法も該袋１の底面部を識別し易く、包む作業が非常にスムーズになった。適宜、該ラベルに商品名や材質等を印刷したりすることも可能であり、有用である。【００７４】
【表５】
2019085174.tif 000007
【００７５】  また、本実施例２における網の形状を有する略直方体用袋（番号Ｎｏ．２１〜３０）の製作にあたり、各袋の第１節部６のＸ字型Ｘ１の縮小比率の大きさの選択は、ある特定の部分のみに偏らないように縮小比率０．０３〜０．７３倍の広い範囲内で無作為抽出をした。【００７６】  また、製作した袋の番号２８においては、段落番号００６４に示す特例としての第２節部７の１本の長さの算出方法が適用され、所定の方法で算出された第１節部６の１本の長さに１ｃｍを加算した値を第２節部７の１本の長さとした。【００７７】  表５にマトリックスで示すように、行の要素欄に記載された▲１▼〜▲１０▼の把持すべき略直方体２に対して、列の要素欄に記載された袋の番号２１〜３０の網の形状を有する略直方体用袋１の適合性の評価結果が、総て「◎」であり期待した水準以上であった。
なお、この袋の番号２１〜３０の網の形状を有する略直方体用袋１は、実施例１で見出した網の形状を有する略直方体用袋１の独自の製作基準（製作方法）で、且つそれぞれ▲１▼〜▲１０▼の把持すべき略直方体２に対してすべて１回で直ちに試作されたものであった。【００７８】  従って、実施例１で見出した（段落番号００６０〜００７０に示す）網の形状を有する略直方体用袋１の製作基準（製作方法）は、本発明の網の形状を有する略直方体用袋１の独自の製作基準（製作方法）であることが明白となった。【００７９】  また、表５に示すように、袋の寸法・第６節部ｃｍ欄に「※６」と記載されている。
この「※６」と記載の意味は、第６節部１１の長さは、６ｃｍであった。そして、最後に結束された結び目（瘤）が第５節部１０内で収まったことを表している。従って、表５の結果より、本実施例２において製作された網の形状を有する略直方体用袋１は、第５節部１０内で総て結束することができたことを示す。
【実施例３】
【００８０】  なお、（段落番号０００６に示す）某青果物店のスイカ網に本発明で略直方体２と称する種々の略直方体を入れて、その適合性の評価を本実施例３で試みた。そして、得られた某青果物店のスイカ網の略直方体２への適合性の評価結果は、下記の表６に示す通りであった。【００８１】  なお、本実施例３の実施方法は、下記の通りであった。
（１）先ず、某青果物店でスイカを購入したときに貰ったスイカ網（実物）を５個（Ｚ１〜Ｚ５）準備した。このスイカ網５個は、中大玉用規格：グリーン／白、全長約７５ｃｍであり、その態様は、所定の長さのポリプロピレン（ＰＰ）製のグリーン紐２本と白紐２本の計４本を中央で縛り、次に隣り合うグリーン紐１本と白紐１本を中央から約９ｃｍのところを縛り、続いて同様に約１１ｃｍのところを縛り、続いて同様に約１４ｃｍのところを縛り、続いて同様に約１５ｃｍのところを縛り、最後に持ち手となる部分は隣り合うグリーンと白の紐２本ずつを約１９ｃｍのところで一緒に縛り、紐端を約７ｃｍ残した物であった。なお、上記の各々寸法は５個の平均値であった。
このスイカ網の各５個をよく観察すると、（表６に示すように）結び目の間隔が統一されておらず、個体ごとに第１段目〜第５段目迄それぞれ異なり、また、紐端長さや全長も個体ごとにそれぞれ寸法が異なり、その差は最大５ｃｍ以上もあった。更に、第１段目から第２段目、第３段目、第４段目・・・・と、進むに従って、その間隔寸法が１〜６ｃｍずつ無造作に漸次増加していることが特徴的であった。
また、このスイカ網の個々の寸法は、下記の表６の列の要素欄（某青果物店のスイカ網の実物の寸法）の番号Ｚ１〜Ｚ５に記載の通りであった。
（２）本実施例３のために、予め準備した把持すべき略直方体は、下記の表６の行の要素欄に記載の番号Ｂ１〜Ａ３に示す１０種であった。なお、これらは、本発明の実施例１及び実施例２で使用したものと同一の１０種の略直方体２であった。
（３）某青果物店のスイカ網（Ｚ１〜Ｚ５）が、予め準備した略直方体（Ｂ１〜Ａ３）に対して有する適合性の評価は、実施例１の段落番号００５３に示す評価基準と同一の基準でそれぞれの略直方体２について評価した。その評価結果は、下記の表６にマトリックスで示す通りであった。【００８２】
【表６】
2019085174.tif 000008
【００８３】  表６に示すように、某青果物店のスイカ網は、本発明で定義する大きさの略直方体２に全然適合しなかった。即ち、某青果物店のスイカ網は、本発明で定義する大きさの略直方体２を包み、しっかり結束することができなかった。【００８４】  また、（段落番号００３７に示すように）、この某青果物店のスイカ網は、非特許文献１に記載されている簡単ボールネットの作り方と同様に、袋の網目の構成は、ただ単に順次隣り合う組の紐を２本ずつまとめて結んでいるだけであり、且つ第１段目、第２段目、第３段目、第４段目・・・と、進むに従って、結び目の間隔（寸法）が無造作に漸次増加している態様であった。
【符号の説明】
【００８５】１    網の形状を有する略直方体用袋
２    略直方体
３    底面
Ｘ０  底面の交叉する２対角線
Ｘ１  Ｘ字型
４    側面
５    上面
６    第１節部
７    第２節部
８    第３節部
９    第４節部
１０  第５節部
１１  第６節部
１２  第２節部に係る角（二面接合部）
１３  第４節部に係る角（二面接合部）
１４  第１段目
１５  第２段目
１６  第３段目
１７  第４段目
１８  第５段目
１９  第６段目
２０  従来の球体用網の袋
【図１】
2019085174.tif 000009
【図２】
2019085174.tif 000010
【図３】
2019085174.tif 000011
【図４】
2019085174.tif 000012
【図５】
2019085174.tif 000013
【図６】
2019085174.tif 000014
【図７】
2019085174.tif 000015
【図８】
2019085174.tif 000016
【図９】
2019085174.tif 000017
【図１０】
2019085174.tif 000018
【図１１】
2019085174.tif 000019